(57)【要約】シートに対する直立位置又は前進折畳み位置のいずれか１つに背もたれを錠止するために背もたれラッチ機構（１０）が設けられる。背もたれラッチ機構は、上側コードラント（１４）を回転可能に支持する下側コードラント（１２）を備える。錠止カム（１６）及び錠止ピン（１８）は各々が上側コードラントによって回転可能に支持される。錠止ピンの第１面は錠止カムと噛み合いかつ錠止ピンの第２面は下側コードラントと噛み合う。錠止カムは偏倚されて、上側コードラントを下側コードラントに対して２つの位置のいずれかに錠止するために、錠止ピンを選択的に押し込んで下側コードラントと係合するようにさせる。上側コードラントが下側コードラントに対して回動するとき、錠止ピンは上側コードラントに対して回転する。
2004526505.tif 000002
【特許請求の範囲】
【請求項１】
背もたれラッチ機構であって、
上側コードラントと、
前記上側コードラントを第１及び第２回転位置間に回転可能に支持する下側コードラントと、
カム面を備えかつ前記上側コードラントによって回転可能に支持される錠止カムと、
前記上側コードラントによって回転可能に支持されかつ前記錠止カムと選択的に接触する第１面と、前記下側コードラントと摺動接触する第２面と、を備え、もって前記錠止カムと前記錠止ピンが協働して前記上側コードラントを前記下側コードラントに対する第１及び第２回転位置の１つに錠止する、錠止ピンと、を備える背もたれラッチ機構。
【請求項２】
前記錠止カムは、係合位置と解放位置との間で回転可能であり、
前記カム面は前記錠止ピンを前記係合位置で前記錠止ピンに対して付勢するとともに、前記解放位置で前記錠止ピンとの係合から解放する、請求項１に記載の背もたれラッチ機構。
【請求項３】
前記錠止カムを前記係合位置に偏倚させるばねを更に備える、請求項２に記載の背もたれラッチ機構。
【請求項４】
前記上側コードラントによって支持される支持ピンを更に備え、前記支持ピンが前記下側コードラントに当接して前記第１及び第２回転位置を越える前記上側コードラントの回転を阻止する、請求項１に記載の背もたれラッチ機構。
【請求項５】
前記錠止ピンが前記錠止カムに係合し、かつ前記下側コードラントに対する前記上側コードラントの回転に応じて該上側コードラント内で回転する、請求項１に記載の背もたれラッチ機構。
【請求項６】
リクライニングシート組立体であって、
シートと、
前記シートに調節可能に取り付けられた背もたれと、
前記背もたれを支持する上側コードラントと、
前記シート内に配置され、前記上側コードラントを第１及び第２回転位置に回転可能に支持する下側コードラントと、
カム面を具備し、かつ前記上側コードラントによって回転可能に支持される錠止カムと、
前記上側コードラントによって回転可能に支持され、かつ前記カム面と選択的に接触する第１面と、前記下側コードラントと摺動接触する第２面と、を具備し、前記錠止カム及び前記錠止ピンが前記背もたれを前記シートに対する前記第１及び第２回転位置の１つに選択的に錠止する錠止ピンと、を含む、前記シートと前記背もたれを相互連結する背もたれラッチ機構と、
前記背もたれラッチ機構と機械的に連係して前記背もたれを前記シートに対してリクライニングさせるリクライナーチェア機構と、を備えるリクライニングシート組立体。
【請求項７】
前記錠止カムは、係合位置と解放位置との間で回転可能であり、
前記カム面は前記錠止ピンを前記係合位置で前記錠止ピンに対して付勢するとともに、前記解放位置で前記錠止ピンとの係合から解放する、請求項６に記載のリクライニングシート組立体。
【請求項８】
前記錠止カムを前記係合位置に偏倚させるばねを更に備える、請求項６に記載のリクライニングシート組立体。
【請求項９】
前記上側コードラントによって支持される支持ピンを更に備え、前記支持ピンが前記下側コードラントに当接して前記第１及び第２回転位置を越える前記上側コードラントの回転を阻止する、請求項６に記載のリクライニングシート組立体。
【請求項１０】
前記錠止ピンが前記錠止カムに係合し、かつ前記下側コードラントに対する前記上側コードラントの回転に応じて該上側コードラント内で回転する、請求項６に記載のリクライニングシート組立体。
【請求項１１】
背もたれラッチ機構であって、
第１及び第２錠止面を画定するカム部分を具備する下側コードラントと、
前記下側コードラントに回動可能に連結されて第１回転位置及び第２回転位置間を移動する上側コードラントと、
前記上側コードラントによって回動可能に支持され、かつ前記上側コードラントが前記第１回転位置にある時に前記第１錠止面に係合し、前記上側コードラントが前記第２回転位置にある時に前記第２錠止面に係合する、錠止ピンと、
カム面を具備し、かつ前記カム面が前記錠止ピンを前記第１及び第２錠止面に対して付勢する係合位置と、前記カム面が前記錠止ピンから解放される解放位置との間で移動するように、前記上側コードラントによって回動可能に支持された錠止ピンと、を備える背もたれラッチ機構。
【請求項１２】
前記錠止カムは、係合位置と解放位置との間で回転可能であり、
前記カム面は前記錠止ピンを前記係合位置で前記錠止ピンに対して付勢するとともに、前記解放位置で前記錠止ピンとの係合から解放する、請求項１１に記載の背もたれラッチ機構。
【請求項１３】
前記錠止カムを前記係合位置に偏倚させるばねを更に備える、請求項１１に記載の背もたれラッチ機構。
【請求項１４】
前記上側コードラントによって支持される支持ピンを更に備え、前記支持ピンが前記下側コードラントに当接して前記第１及び第２回転位置を越える前記上側コードラントの回転を阻止する、請求項１１に記載の背もたれラッチ機構。
【請求項１５】
前記錠止ピンが前記錠止カムに係合し、かつ前記下側コードラントに対する前記上側コードラントの回転に応じて該上側コードラント内で回転する、請求項１１に記載の背もたれラッチ機構。
【発明の詳細な説明】
【技術分野】
【０００１】
[相互参照]
本発明は、１９９９年９月２８日に出願された従来技術文献１の一部継続出願であり、これは２０００年１２月１９日に発行された従来技術文献２の一部継続出願であり、両者を参考文献として本明細書に援用する（例えば、特許文献１及び２参照）。
【特許文献１】
米国特許出願第０９/４０７、４９４号明細書
【特許文献２】
米国特許第６、１６１、８９９号明細書
【背景技術】
【０００２】
本発明は、一般に背もたれ前向折畳機構に関し、より詳細には改善された背もたれラッチ機構に関する。
【発明の開示】
【課題を解決するための手段】
【０００３】
本発明は、上側コードラント(quadrant)と、錠止カムと、錠止ピンと、を備える背もたれ錠止機構を備える。これらの各々は上側コードラントと、下側コードラントと、によって回転可能に支持される。カム及び錠止ピンは協働して上側コードラントを下側コードラントに対する第１又は第２回転位置の１つに選択的に錠止する。錠止ピンの第１面はカムと選択的に接触して、上側コードラントを下側コードラントに対して錠止し、この下側コードラントが上側コードラントを枢支する。前記錠止ピンの第２側部は、下側コードラントと摺動接触する。
【０００４】
好ましい実施形態では、本発明は、リクライニングシート組立体を具備して備えられる。リクライニングシート組立体は、シートと、該シートに対する背もたれと、該シート及び背もたれを相互連結する背もたれラッチ機構と、を備える。この背もたれラッチ機構は、上側及び下側コードラントと、該上側コードラントによって回転可能に支持される錠止カム及び錠止ピンと、を含む。下側コードラントは、上側コードラントを枢支する。錠止ピンの第１面はカムと選択的に接触し、かつ錠止ピンの第２面は下側コードラントと摺動接触する。錠止カム及び錠止ピンは協働して背もたれを前記シートに対する第１及び第２回転位置に選択的に錠止する。リニアリクライナ機構は、背もたれをシートに対して傾斜させる背もたれラッチ機構と機械的に連係する。
【発明を実施するための最良の形態】
【０００５】
図面を参照して、背もたれラッチ機構１０を詳細に説明する。背もたれラッチ機構１０は、上側コードラント１４を回動可能に支持する下側コードラント１２を備える。上側コードラント１４は下側コードラント１２に対してこれらのコードラントの間に配置された錠止カム１６と錠止ピン１８によって選択的に調整可能である。
【０００６】
上側コードラント１４は、第１及び第２コードラント・プレート２０、２２を備える。これらのプレートは、中央ピボット・ピン２４の周りで下側コードラント１２上に回動可能に支持される。中央ピボット・ピン２４は、該ピンから同軸な関係で延在する円筒状本体２８を具備するディスク端部２６を備える。円筒状本体２８は、外部支持面３０を備え、かつ第１及び第２コードラント・プレート２０、２２の開口３２、３４のそれぞれ、及び下側コードラント１２の開口３６を通じて受容される。上側コードラント１４は、該上側コードラント１４によって中間に受容されたスペーサー３８を更に含む。スペーサー３８は、該スペーサーから同軸な関係で延在する第１円筒状本体４２を具備するディスク端部４０を備える。全体的に第１円筒状本体４２より直径が小さな第２円筒状本体４４は、該第１円筒状本体４２の端部から同軸な関係で延在する。スペーサー３８の第１円筒状本体４２は、まず、第１コードラント・プレート２０の開口４６によって受容される。第２コードラント・プレート２２は、第一コードラント・プレート２０の開口４６と整合され、かつ開口４８によって受容される第２円筒状本体４４に相応する直径を有する。第１及び第２コードラント・プレート２０、２２は、上側コードラント１４に対する外部構造（図示せず）を固定するための開口４７、４９をそれぞれ備える。
【０００７】
第１及び第２支持ピン５０、５２は、第１及び第２コードラント・プレート２０、２２間に配置され、かつ各々は一方の側から延在するより小さな円筒状本体５６を具備する主円筒状本体５４を備える。第１支持ピン５０の円筒状本体５６は、第１及び第２コードラント・プレート２０、２２の開口５８、６０内にそれぞれ受容される。かくして第１支持ピン５０をこれらの第１及び第２コードラント・プレート間に支持する。第２支持ピン５２は、開口６２、６４によって、それぞれ第１及び第２コードラント・プレート２０、２２間で同様に支持される。
【０００８】
錠止カム１６及び錠止ピン１８は、各々が第１及び第２コードラント・プレート２０、２２の間で回動自在に支持される。錠止カム１６及び錠止ピン１８は、下側コードラント１２に対する回転位置に上側コードラント１４を保持するように機能する。錠止カム１６を作動させることによって、上側コードラント１４の回転位置は、下側コードラント１２に対して調整可能である。錠止ピン１８は、上側コードラント１４を、下側コードラント１２に対する自身の複数の位置の１つに固定する。
【０００９】
錠止ピン１８は、該ピンから延在するタブ６８を具備する円筒状本体６６を備える。タブ６８は、弧状面７４によって相互に連結された第１及び第２表面７０、７２を備える。円筒状本体６６の端部６６ａ、６６ｂは、これらの端部間に錠止ピン１８を回転可能に支持して、各々が第１及び第２コードラント・プレート２０、２２の開口７６、７８内に受容される。円筒状本体６６は、錠止ピン１８が開口７６、７８内で容易に回転可能にする、外部支持面８０を更に備える。
【００１０】
錠止カム１６は中央に配置された開口８２、及びカム表面８６を具備する最初の端８４を含んでいる。錠止カム１６は、第１及び第２の反対に延在し、自身を貫通して配置された開口９２、９４をそれぞれ具備するアーム８８、９０を更に備える。錠止カム１６は、開口８２に受容されたカム・ピボット９６周りで、第１及び第２コードラント・プレート２０、２２間で回転可能に支持される。錠止カム１６は、ばね１１０によって第１回転方向に偏倚される。ばね１１０の第１端部は第２アーム９０の開口９４に取り付けられる。また、ばね１１０の第２端部は、第２コードラント・プレート２２に形成されたブラケット１１２に取り付けられる。
【００１１】
カム・ピボット９６は、支持面１００および第１及び第２円筒状延長部分１０２、１０４を具備する円筒状部分９８を備える。第１及び第２円筒状延長部分１０２、１０４は、第１及び第２コードラント・プレート２０、２２の開口１０６、１０８内にそれぞれ支持される。また、円筒状部分９８は、錠止カム１６の開口８２内に配置され、これにより、錠止カム１６は自由に支持面１００の周りを回転する。
【００１２】
上述したように、下側コードラント１２は、上側コードラント１４を回動可能に支持するための、中央に配置された開口３６を備える。下側コードラント１２は、肩部１１４から上向きに延在する第１端縁１１６、全体的に弧状形態をしておりかつ該第１端縁１１６に交差する第２端縁１１８、隅部を構成する該第２端縁１１８に交差する第３端縁１１９、および隅部を構成する該第３端縁１１９に交差する第４端縁１２１を更に備える。以下に更に詳細に説明するように、錠止ピン１８は第１端縁１１６とインタフェースで連結されて、上側コードラント１４を折畳み位置に選択的に錠止するために、該上側コードラントを直立位置すなわち第３及び第４端縁１１９、１２１に選択的に錠止する。
【００１３】
下側コードラント１２は、自身の下端に配置されたブラケット組立体１２０を更に備える。ブラケット組立体１２０の第１半体は、内部にリンク開口１２４を具備する下側コードラント１２の段付部分１２２を備える。第１及び第２リベット開口１２６、１２８も含まれ、段付部分１２２の直上に位置づけられる。ブラケット組立体１２０は、下側コードラント１２に取り付けられる嵌合ブラケット１３０を備える。嵌合ブラケット１３０は、第１及び第２リベット開口１３２、１３４と、このブラケットを貫通するリンク開口１３８を具備する段付部分１３６と、を備える。下側コードラント１２の第１及び第２リベット開口１２６、１２８は、第１及び第２リベット１４０、１４２を貫通させて受容する嵌合ブラケットの第１及び第２リベット開口１３２、１３４とそれぞれ整合する。第１及び第２リベット１４０、１４２は、嵌合ブラケット１３０を下側コードラント１２に取り付け、これによりリンク開口１２４、１３８は互いに同軸な関係で整合する。
【００１４】
特に図２を参照すると、背もたれラッチ機構１０は直立して錠止された位置に示されている。直立した位置では、第２支持ピン５２は下側コードラント１２の肩部に対して着座している。かくして、第２支持ピンは、下側コードラント１２に対する上側コードラント１４の後向き回転（矢印Ｒ）を回避する当り部材として機能する。錠止ピン１８は、錠止ピン１８及びカム１６の相互作用によって、下側コードラント１２対する上側コードラント１４の前進回転も防ぐ。錠止ピン１８のタブ６８の第１側面７０は、下側コードラント１２の第１端縁１１６に当接する。また、タブ６８の第２側面７２は、錠止カム１６のカム表面８６に当接する。ばね１１０は、タブ６８の第２側面７２と接触するように錠止カム１６のカム表面８６を回転偏倚させ、これにより第１端縁１１６に対するタブ６８の第１側面７０を押圧し、隠して下側コードラント１２に対する上側コードラント１４の前進回転を防ぐ。
【００１５】
下側コードラント１２に対する上側コードラント１４の前進回転を可能にするために、錠止カム１６は、ばね１１０の偏倚力に対してカム・ピボット９６の周りに（矢印方向Ａに）回転される。錠止カム１６がばね１１０の偏倚力に対して回転するとき、カム表面８６は、タブ７２の第２側面の係合を解除し、これにより、錠止ピン１８は下側コードラント１２の第１端縁１１６に対してもはや押圧されない。上側コードラント１４が前進（矢印Ｆ）回転せしめられると、タブ６８の第１側面７０は、下側コードラント１２の第２端縁１１８に向かって第１端縁１１６に沿って摺動し、かつ最終的には該第２端縁に沿って摺動し、これにより錠止ピン１８は、図３に最も良く示されるように、開口７６、７８内で回動せしめられる。上側コードラント１４が十分に前進した後、タブ６８は下側コードラント１２の第２端縁１１８との接触から外れて、下側コードラント１２の第３及び第４端縁１１９、１２１と接触するようになる。
【００１６】
十分な前進回転を行いかつ錠止カム１６を開放した後で、ばね１１０は、再び、カム面８６を偏倚させて錠止ピン１８のタブ６８と係合させる。このように、錠止ピン１８は押圧されて、下側コードラント１２の第３及び第４の端縁１１９、１２１と係合する。この位置では、錠止ピン１８は、下側コードラント１２に対する上側コードラント１４の回転を後向きに防ぐ。かくして、上側コードラント１４は前進折畳み位置に効果的に錠止される。
【００１７】
下側コードラント１２に対する直立位置まで上側コードラント１４を戻すために、錠止カム１６は再び作動してばね１１０の偏倚力に対して回転し、これにより、カム表面８６は錠止ピン１８のタブ６８から解放される。このように、上側コードラント１４が下側コードラント１２に対して後向きに折り重ねらかつ錠止ピン１８のタブ６８が第１端縁１１６に向かって第２端縁１１８に沿って摺動するとき、錠止ピン１８は開口７６、７８内で自由に回転する。その後、錠止カム１６が解放されるとき、ばね１１０の偏倚力は、カム面８６を押し込んで（図２に示されかつ述べられているように）錠止ピン１８のタブ６８と係合させる。この位置では、上側コードラント１４は、下側コードラント１２に対して直立した位置に錠止される。
【００１８】
図５を参照すると、背もたれラッチ機構１０はリクライニングシート組立体２００に含まれている。シート組立体２００はシート２０２、およびシート２０２に対して回動可能な背もたれ２０４を備える。背もたれ２０４は背もたれラッチ機構１０によって支持される。背もたれラッチ機構１０はブラケット２０６によって支持され、かつピボット点Ｑ周りで回動可能である。ピボット点Ｑは、実質的に中央のピボット・ピン２４の回転中心と整合される。リクライニングシート組立体２００は、シート２０２内に配置されたリニアリクライニングチェア機構２０８を備えることが好ましい。リニアリクライニングチェア機構２０８は、リンク開口１２４、１３８によって下側コードラント１２のブラケット組立体１２０に接続されるリクライニングチェア・ロッド２１０を備える。背もたれ２０４の回動調節を可能にしつつ、リクライニングチェア・ロッド２１０はシート２０２に対して調節可能である。ハンドル２１４が更に含まれ、かつリニアリクライニングチェア機構２０８と機械的に連係して該リニアリクライニングチェア機構２０８を作動させる。別のハンドル２１４が、アーム８８の開口９２を介して錠止カム１６に取り付けられて、上記に詳細に説明したように、背もたれラッチ機構１０を作動させる。しかしながら、本発明の好ましい実施形態は、シート２０２に対して背もたれ２０４の回動可能な調節を与えるためのリニアリクライニングチェア機構２０８を与えられているが、当該技術で既知の他のリクライニングチェア機構を使用し得ることが予期されることに留意すべきである。
【００１９】
本発明を明細書で説明し、かつ好ましい実施形態に関して図面で説明してきたが、種々の変更を行い得るものでありかつ等価物は特許請求の範囲に規定された本発明の範囲を逸脱せずに、その部材を代換えし得ることが当業者によって理解される。さらに、本発明の特許請求の範囲に規定された必須範囲から逸脱せずに、本発明の教示に応じて多くの変更を特定の状況又は構成要素に適合させるためになし得る。したがって、本発明は、本発明を実施するために、図面に示されかつ目下考えられる最良の実施形態として明細書に説明された特定の実施形態に限定されず、特許請求の範囲内に該当する如何なる実施形態をも含むようになっている。
【図面の簡単な説明】
【００２０】
【図１】本発明による背もたれラッチ機構の分解図である。
【図２】直立した錠止位置にある図１の背もたれラッチ機構の側面図である。
【図３】中間折畳み位置にある図２の背もたれラッチ機構の側面図である。
【図４】前進折畳み位置にある図２の背もたれラッチ機構の側面図である。
【図５】図１〜図３の背もたれラッチ機構を組み込んだリクライニングシート組立体の概略図である。
【符号の説明】
【００２１】
１０  背もたれラッチ機構
１２  下側コードラント
１４  上側コードラント
１６  錠止カム
１８  錠止ピン
２０  第１コードラント・プレート
２２  第２コードラント・プレート
２４  中央ピボット・ピン
２６  ディスク端部
２８  円筒状本体
３０  外部支持面
３２、３４  開口
３６  開口
３８  スペーサ
４０  ディスク端部
４２  第１円筒状本体
４４  第２円筒状本体
４６、４７、４８、４９  開口
５０  第１支持ピン
５２  第２支持ピン
５４  主円筒状本体
５６  円筒状本体
５８、６０、６２、６４  開口
６６  円筒状本体
６８  タブ
７０  第１側面
７２  第２側面
７４  弧状面
７６、７８  開口
８０  外部支持面
８２  開口
８４  第１端部
８６  カム表面
８８、９０  アーム
９２、９４  開口
９６  カム・ピボット
９８  円筒状部分
１００  支持面
１０２  第１円筒状延長部分
１０４  第２円筒状延長部分
１０６、１０８  開口
１１０  ばね
１１４  肩部
１１６  第１端縁
１１８  第２端縁
１１９  第３端縁
１２１  第４端縁
１２２  段付部分
１２４  リンク開口
１２６  第１リベット開口
１２８  第２リベット開口
１３０  嵌合ブラケット
１３２  第１リベット開口
１３４  第２リベット開口
１３６  段付部分
１３８  リンク開口
１４０  第１リベット開口
１４２  第２リベット開口
２００  リクライニングシート組立体
２０２  シート
２０４  背もたれ
２０６  ブラケット
２０８  リクライニングチェア機構
２１０  リクライニングチェア・ロッド
【国際公開パンフレット】
2004526505.tif 000003
2004526505.tif 000004
2004526505.tif 000005
2004526505.tif 000006
2004526505.tif 000007
2004526505.tif 000008
2004526505.tif 000009
2004526505.tif 000010
2004526505.tif 000011
2004526505.tif 000012
2004526505.tif 000013
2004526505.tif 000014
2004526505.tif 000015
2004526505.tif 000016
2004526505.tif 000017
2004526505.tif 000018
2004526505.tif 000019
2004526505.tif 000020
【国際調査報告】
2004526505.tif 000021